(57)【要約】  【課題】  複数のソフトウェア無線機のうちの所望のものの動作特性表示を１台の外部端末装置で行なえる無線機動作特性表示システムを提供する。  【解決手段】  本発明の無線機動作特性表示システムにおいて、各ソフトウェア無線機１１〜１Ｎは、それぞれの動作特性に関する表示データをＬＡＮ４０を介してサーバ２０に送信し、サーバはこの表示データを各ソフトウェア無線機に対応して保存する。外部端末装置３０は、各ソフトウェア無線機のうちのいずれを選択するかの無線機選択画面を表示し、いずれかのソフトウェア無線機が選択されると、サーバにＬＡＮを介してアクセスし、選択されたソフトウェア無線機の表示データを取得し、取得した表示データに基づいて動作特性の画面表示を行なう。したがって、ＬＡＮに接続されるソフトウェア無線機の数が増加しても、１台の外部端末装置がそれら全ての動作特性を選択して表示できる。  【選択図】  図１
2006287846.tif 000002
【特許請求の範囲】
【請求項１】
複数のソフトウェア無線機と、サーバと、外部端末装置と、これらを相互に接続するＬＡＮとを有する無線機動作特性表示システムであって、
各ソフトウェア無線機は、予め定められた動作特性に関する表示データをサーバにＬＡＮを介して送信し、サーバはこの表示データを各ソフトウェア無線機に対応して保存し、外部端末装置は、各ソフトウェア無線機のうちのいずれを選択するかの無線機選択画面を表示し、いずれかのソフトウェア無線機が選択されると、サーバにＬＡＮを介してアクセスし、選択されたソフトウェア無線機の表示データをサーバから取得し、取得した表示データに基づいて動作特性の画面表示を行なう無線機動作特性表示システム。
【発明の詳細な説明】
【技術分野】
【０００１】
本発明は、無線機動作特性表示システムに関し、特に、複数の無線機の動作特性の表示について集中管理できる無線機動作特性表示システムに関する。
【背景技術】
【０００２】
従来、この種の無線機動作特性表示システムとして、無線機の動作特性を表示する動作表示機能部が個々の無線機にそれぞれ組み込まれている。例えば、動作表示としてスペクトラムを扱うものとして、下記特許文献１に開示されたものがある。この種の動作特性を画面表示するタイプのものは、図５に示される無線機２００のように、動作特性を表示する表示部２３１が前面パネルに配置されている。しかし、近年、この種の無線機は、ソフトウェア無線機に切り替えられ、その機能は、他のスペクトラム表示機能を有しないソフトウェア無線機に共通化されている。その場合、図６に示されるように、ソフトウェア無線機２１０は、シリアル通信回線２４０を介して外部端末装置２３０と１対１で接続され、外部端末装置２３０によってソフトウェア無線機２１０のスペクトラムなどの動作特性の表示および管理がなされる（例えば特許文献１参照）。
【特許文献１】特開平６−６６８５２号公報
【発明の開示】
【発明が解決しようとする課題】
【０００３】
上述の従来の無線機動作特性表示システムにおいては、シリアル通信回線によって接続できるソフトウェア無線機と、外部端末装置との数は限定されてしまい、ソフトウェア無線機を増設した場合には、外部端末装置の数も増加させなければならず大きなコスト増をもたらす。また、外部端末装置もソフトウェア無線機ごとに異なるので操作性がよくないという問題もある。
【０００４】
本発明は、上述した問題点を解決するためになされたものであり、扱うソフトウェア無線機の台数が増加したとしても、複数のソフトウェア無線機の中から所望のソフトウェア無線機を選択し、選択したソフトウェア無線機の動作特性の表示を１台の外部端末装置によって表示させることができる低コストで操作性のよい無線機動作特性表示システムを提供することを目的とする。
【課題を解決するための手段】
【０００５】
上述した課題を解決するため、本発明に係る無線機動作特性表示システムは、複数のソフトウェア無線機と、サーバと、外部端末装置と、これらを相互に接続するＬＡＮとを有する無線機動作特性表示システムであって、各ソフトウェア無線機は、予め定められた動作特性に関する表示データをサーバにＬＡＮを介して送信し、サーバはこの表示データを各ソフトウェア無線機に対応して保存し、外部端末装置は、各ソフトウェア無線機のうちのいずれを選択するかの無線機選択画面を表示し、いずれかのソフトウェア無線機が選択されると、サーバにＬＡＮを介してアクセスし、選択されたソフトウェア無線機の表示データをサーバから取得し、取得した表示データに基づいて動作特性の画面表示を行なう。
【０００６】
このような構成によれば、ＬＡＮに接続されるソフトウェア無線機の数が増加しても、その動作特性に関する表示データは、他のソフトウェア無線機と同様にサーバに蓄積されるので、外部端末装置は、サーバにアクセスし、増加したソフトウェア無線機に関して蓄積された表示データを他のソフトウェア無線機に対すると同様に取得し、外部端末装置に表示することができる。
【発明の効果】
【０００７】
以上、詳述したように本発明によれば、ＬＡＮに接続されるソフトウェア無線機の数が増加しても、その動作特性に関する表示データはサーバに蓄積されるので、外部端末装置は、サーバにアクセスし、増加したソフトウェア無線機に関して蓄積された表示データを取得し、外部端末装置に表示することができる。したがって、ＬＡＮに接続されるソフトウェア無線機の数が増加しても同じ１台の外部端末装置で動作特性の表示をすることができるので、大きなコスト増をもたらさず、操作性も損なわれないという効果がある。
【発明を実施するための最良の形態】
【０００８】
以下、本発明の実施の形態について図面を参照しつつ説明する。図１は、この発明の無線機動作特性表示システムを示すブロック図、図２は、図１のソフトウェア無線機の前面パネルの構成を説明するための図、図３は、図１の外部端末装置の表示状態を説明するための図、図４は、図１の外部端末装置が表示する選択図面を示す図である。
【０００９】
この発明の実施の形態である図１の無線機動作特性表示システム１００は、ソフトウェア無線機１１，１２，〜，１Ｎと、サーバ２０と、外部端末装置３０と、ＬＡＮ４０とから構成され、ソフトウェア無線機１１，１２，〜，１Ｎと、サーバ２０と、外部端末装置３０とはＬＡＮ４０によって相互に接続されている。ソフトウェア無線機１１，１２，〜，１Ｎは、互いの機能が共通化されており、個々における動作特性表示のための表示器は図２に示されるように削除され、外部端末装置３０の表示部に選択的に表示される。ソフトウェア無線機１１，１２，〜，１Ｎは、予め決められた動作特性（例えば、スペクトラム）についての表示データを送信するためのプログラムを内蔵しており、この例の場合、予め決められた動作特性に関する表示データを２０ｍｓの送信間隔でＬＡＮ４０を経由してサーバ２０に送信している。
【００１０】
サーバ２０は、表示データ作成プログラムを内蔵しており、このプログラムを利用して、ソフトウェア無線機１１，１２，〜，１Ｎから送られてくる動作特性の表示データを受け取り、各ソフトウェア無線機１１，１２，〜，１Ｎに対応して常時保存しておく。サーバ２０は、保存した何れかのソフトウェア無線機の表示データに対して、外部端末装置３０から送信せよとの要求があった場合には、該当するソフトウェア無線機の表示データを外部端末装置３０にＬＡＮ４０を経由して送信する。
【００１１】
外部端末装置３０は、データ取得プログラムと表示プログラムとを内蔵しており、表示画面上には、表示プログラムに従って、図４に示すような無線機選択用画面を表示している。ユーザが、図４の選択画面において、所定のソフトウェア無線機、例えば、ソフトウェア無線機１１に対する選択を指示すると、外部端末装置３０は、データ取得プログラムに基づき、サーバ２０にアクセスし、ソフトウェア無線機１１に関する表示データをＬＡＮ４０を経由して取得する。外部端末装置３０は、取得した表示データを表示プログラムに従って表示部３１に表示する。
【００１２】
ユーザが２台のソフトウェア無線機、例えば、ソフトウェア無線機１１，１２に対応する選択を指示すると、外部端末装置３０は、サーバ２０にアクセスし、ソフトウェア無線機１１，１２の動作特性に関する表示データをＬＡＮ４０を介して取得する。取得した表示データに基づいて、ソフトウェア無線機１１，１２の動作特性に関する画像を表示部３１に並列に表示する。また、表示するものとして複数種類の動作特性が設定されている場合には、例えば、ユーザが図４の画面により、ソフトウェア無線機１１に対応する選択を指示すると、外部端末装置３０は、さらに、設定されている複数の動作特性のうちのいずれを選択するかの選択画面の表示を行なう。この表示からユーザが所望の動作特性を選択すると、選択されたソフトウェア無線機に関する、さらに選択された動作特性の表示を行なう。
【００１３】
上述のように構成すれば、複数のソフトウェア無線機１１，１２，〜，１Ｎの動作特性を、サーバ２０経由であるが、１台の外部端末装置３０によって、画面表示などを含めて確認することができる。また、ソフトウェア無線機１１，１２，〜，１Ｎの台数が増加しても、外部端末装置３０は、サーバ２０を介して増加したソフトウェア無線機の動作特性を確認できるので操作性および経済性が優れている。
【図面の簡単な説明】
【００１４】
【図１】この発明の無線機動作特性表示システムを示すブロック図である。
【図２】図１の図１で示される無線機動作特性表示システムにおいて用いられるソフトウェア無線機の前面パネルの構成を説明するための図である。
【図３】図１の外部端末装置の表示状態を説明するための図である。
【図４】図１の外部端末装置が表示する選択図面を示す図である。
【図５】従来の無線機の前面パネルの構成を説明するための図である。
【図６】従来のソフトウェア無線機の外部端末装置との接続方法を示す図である。
【符号の説明】
【００１５】
１１，１２，〜，１Ｎ  ソフトウェア無線機、２０  サーバ、３０  外部端末装置、４０  ＬＡＮ。
【図１】
2006287846.tif 000003
【図２】
2006287846.tif 000004
【図３】
2006287846.tif 000005
【図４】
2006287846.tif 000006
【図５】
2006287846.tif 000007
【図６】
2006287846.tif 000008